(57)【要約】【課題】防犯に優れ、肩からずり落ちることのないよう使い勝手を向上させる。【解決手段】バッグ１０は、一対のバッグ本体２、３と、これらバッグ本体２、３に背中側をうち違いにして襷がけ状に繋いだ吊り紐６、７とを備えて構成される。バッグ本体２、３はそれぞれ吊り紐６、７により使用者の左脇と右脇とに配置される。吊り紐６、７は連結具８を介してバッグ本体２、３に接続される。一方の吊り紐６は、左側バッグ本体２の前方側係止部４Ａと右側バッグ本体３の後方側係止部５Ｂとに接続される。他方の吊り紐７は、右側バッグ本体３の前方側係止部５Ａと接続されるとともに、留め具９により背中側で一方の吊り紐６と交差させて左側バッグ本体２の後方側係止部４Ｂとに接続される。留め具９は吊り紐６、７の交差部で変位が規制されるとともに、吊り紐６、７の相対変位を規制してロックさせ、吊り紐６、７が肩からずり落ちないようにしている。【選択図】図１
2006288967.tif 000002
【特許請求の範囲】
【請求項１】
一対のバッグ本体のうち、一方のバッグ本体の前方側と他方のバッグ本体の後方側とを第１の吊り革で結ぶとともに、他方のバッグ本体の前方側と一方のバッグ本体の後方側とを第２の吊り紐で結び、これら両吊り紐を使用者の背中側で交差させ、この交差部に吊り紐の相対変位を規制する留め具を設け、バッグ本体を使用者の左右両脇にそれぞれ配置するようにしたことを特徴とするバッグ。
【請求項２】
吊り紐を、帯状の細長い布から構成するとともに、長さを調整可能に構成したことを特徴とする請求項１に記載のバッグ。
【請求項３】
留め具を、吊り紐が重ね合わされて延長方向がほぼ一致すると、吊り紐に沿って変位し、吊り紐の延長方向がずれて交差すると、吊り紐に沿った変位が規制されることを特徴とする請求項１または２に記載のバッグ。
【請求項４】
留め具を、吊り紐が重なる厚さ寸法を有し互いに平行で長さの異なる上下２辺と、これら２辺の両端を接続する左右２辺とを備えた環状金具から構成したことを特徴とする請求項３に記載のバッグ。
【請求項５】
一対の携帯用物品のうち、一方の携帯用物品の前方側と他方の携帯用物品の後方側とを第１の吊り革で結ぶとともに、他方の携帯用物品の前方側と一方の携帯用物品の後方側とを第２の吊り紐で結び、これら両吊り紐を使用者の背中側で交差させ、この交差部に吊り紐の相対変位を規制する留め具を設け、携帯用物品を使用者の左右両脇にそれぞれ配置するようにしたことを特徴とする吊り紐。
【請求項６】
帯状布が少なくとも２枚重ねられ相対変位自在な紐部材に嵌め通され、各帯状布の延長方向がほぼ一致すると、重ねられた帯状布に沿って変位し、各帯状布の延長方向がずれて交差すると変位が規制されるとともに、帯状布の相対変位を規制することを特徴とする留め具。
【発明の詳細な説明】
【技術分野】
【０００１】
本発明は、バッグおよび留め具に関し、特に、防犯用のバッグとそれに用いられる留め具に関するものである。
【背景技術】
【０００２】
一般に、ショルダーバッグは、吊り紐を左右どちらかの肩に掛けて用いられる。しかしながら、このような使い方では、一瞬の透きをついてひったくりにあったりし易く、防犯上、好ましくない。このため、従来、防犯用のバッグとして、バッグ本体に取り付けられる手提げ部や肩ひもをバッグ本体から容易に離脱しやすくし、螺旋状の伸縮ワイヤーをバッグ本体と腕や手首に巻き付けたベルトとに連結し、手提げ部や肩ひもがひったくり犯人の引き取る力により容易に外れても、バッグ本体はワイヤーにより被害者の手元に残るようにしたバッグが知られている（特許文献１参照）。
【特許文献１】実用新案登録第３０９７３３２号（第２頁、図２）
【発明の開示】
【発明が解決しようとする課題】
【０００３】
しかしながら、上記従来のバッグでは、手に提げるか、肩に掛けるかしなければならず、ひったくり犯人の目につきやすく、しかも片手は手提げ部を持ったり、肩からずり落ちないよう肩ひもを持ったりしなければならず、一瞬の透きを狙われると力で防ぎにくい。また、手や肩で保持しているので外部からの力で体から離れやすいという問題がある。
【０００４】
本発明は、上記課題を解決するためになされたもので、防犯に優れ肩からずり落ちることのない、しかも、両手を自由に使える使い勝手のよいバッグを提供することを目的とするものである。
【０００５】
また、本発明は、携帯用物品を体に確実に保持し、防犯に優れ肩からずり落ちることのない、しかも、両手を自由に使える使い勝手のよい吊り紐を提供することを目的とするものである。
【０００６】
さらに、本発明は、吊り紐を肩からずり落ちにくくする吊り紐の留め具を提供することを目的とするものである。
【課題を解決するための手段】
【０００７】
本発明に係るバッグは、一対のバッグ本体のうち、一方のバッグ本体の前方側と他方のバッグ本体の後方側とを第１の吊り革で結ぶとともに、他方のバッグ本体の前方側と一方のバッグ本体の後方側とを第２の吊り紐で結び、これら両吊り紐を使用者の背中側で交差させ、この交差部に吊り紐の相対変位を規制する留め具を設け、バッグ本体を使用者の左右両脇にそれぞれ配置するようにしたものである。
【０００８】
本発明に係るバッグでは、一対のバッグ本体のうち、一方のバッグ本体の前方側と他方のバッグ本体の後方側とを第１の吊り革で結ぶとともに、他方のバッグ本体の前方側と一方のバッグ本体の後方側とを第２の吊り紐で結び、これら両吊り紐を使用者の背中側で交差させ、この交差部に吊り紐の相対変位を規制する留め具を設け、バッグ本体を使用者の左右両脇にそれぞれ配置するようにしたことにより、吊り紐の交差部を背中に向けて交差部から前側の吊り紐をそれぞれ左右の肩に載せると、交差部では留め具の変位が規制されるとともに、吊り紐同士の相対変位が規制される。吊り紐は前後端がそれぞれ、左右一方のバッグ本体の前方側から背中の交差部を経由して左右逆のバッグ本体の後方側に接続されるので、肩に載った部位は常に内側に、すなわち、首側に保持されるので、肩からずり落ちることがない。また、バッグ本体は前後側がそれぞれ、左右互い違いに接続された吊り紐と留め具とにより体から外側に離れにくく、体に密着した状態で保持される。このため、使用者が手を添えて、バッグ本体が体から離脱するのを防ぐ必要がない。従って、ひったくりのように吊り紐を掴んで持ち去ろうとしても、バッグ本体が体から離れにくい。さらに、バッグ本体は左右の両脇に位置するので、バッグを体に装着してその上に上着を身につけることができる。上着を身につけると、バッグ本体や吊り紐が上着に隠れてしまい、外部からバッグ本体や吊り紐を見つけることができない。このため、ひったくりの犯人に狙われることがない。
【０００９】
また、請求項２に係るバッグは、吊り紐を、帯状の細長い布から構成するとともに、長さを調整可能に構成したものである。
【００１０】
請求項２に係るバッグでは、吊り紐を、帯状の細長い布から構成するとともに、長さを調整可能に構成したことにより、使用者の身長や体の大きさに合わせて吊り紐を調整することができる。帯状の細長い紐から構成されるので、体とのフィット感を向上させることができ、バッグの上から上着を身につけやすい。
【００１１】
さらに、請求項３に係るバッグは、留め具を、吊り紐が重ね合わされて延長方向がほぼ一致すると、吊り紐に沿って変位し、吊り紐の延長方向がずれて交差すると、吊り紐に沿った変位が規制されるようにしたものである。
【００１２】
請求項３に係るバッグでは、留め具を、吊り紐が重ね合わされて延長方向がほぼ一致すると、吊り紐に沿って変位し、吊り紐の延長方向がずれて交差すると、吊り紐に沿った変位が規制されるようにしたことにより、使用者の身長や体の大きさに合わせて留め具の位置を調整することができるので、バッグ本体がつったり傾いたりすることがない。また、留め具は吊り紐が交差すると、その交差位置で変位が規制され、しかも、吊り紐を互いにロックするので、吊り紐を確実に保持することができ、吊り紐を常にずり落ちないようにすることができる。
【００１３】
請求項４に係るバッグは、留め具を、吊り紐が重なる厚さ寸法を有し互いに平行で長さの異なる上下２辺と、これら２辺の両端を接続する左右２辺とを備えた環状金具から構成したものである。
【００１４】
請求項４に係るバッグでは、留め具を、吊り紐が重なる厚さ寸法を有し互いに平行で長さの異なる上下２辺と、これら２辺の両端を接続する左右２辺とを備えた環状金具から構成したことにより、吊り紐は交差時、環状金具内の空間全体を占有し、しかも、両側部が傾斜した左右２辺に押圧されて変形するとともに、変形により吊り紐は互いの接触面が押圧されて摩擦力が増大するので吊り紐は確実にロックされる。
【００１５】
本発明に係る吊り紐は、一対の携帯用物品のうち、一方の携帯用物品の前方側と他方の携帯用物品の後方側とを第１の吊り革で結ぶとともに、他方の携帯用物品の前方側と一方の携帯用物品の後方側とを第２の吊り紐で結び、これら両吊り紐を使用者の背中側で交差させ、この交差部に吊り紐の相対変位を規制する留め具を設け、携帯用物品を使用者の左右両脇にそれぞれ配置するようにしたものである。
【００１６】
本発明に係る吊り紐では、一対の携帯用物品のうち、一方の携帯用物品の前方側と他方の携帯用物品の後方側とを第１の吊り革で結ぶとともに、他方の携帯用物品の前方側と一方の携帯用物品の後方側とを第２の吊り紐で結び、これら両吊り紐を使用者の背中側で交差させ、この交差部に吊り紐の相対変位を規制する留め具を設け、携帯用物品を使用者の左右両脇にそれぞれ配置するようにしているので、吊り紐の交差部を背中に向けて交差部から前側の吊り紐をそれぞれ左右の肩に載せると、交差部では留め具の変位が規制されるとともに、第１第２の吊り紐同士の相対変位が規制される。吊り紐は前後側がそれぞれ、左右一方の携帯用物品の前方側から背中の交差部を経由して左右逆の携帯用物品の後方側に接続されるので、肩に載った部位は常に内側に、すなわち、首側に保持されるので、肩からずり落ちることがない。また、携帯用物品は前後側がそれぞれ、左右互い違いに接続された両吊り紐と留め具とにより体から外側に離れにくく、体に密着した状態で保持される。このため、使用者が手を添えて、携帯用物品が体から離脱するのを防ぐ必要がない。
【００１７】
さらに、本発明に係る留め具は、帯状布が少なくとも２枚重ねられ相対変位自在な紐部材に嵌め通され、各帯状布の延長方向がほぼ一致すると、重ねられた帯状布に沿って変位し、各帯状布の延長方向がずれて交差すると変位が規制されるとともに、帯状布の相対変位を規制するようにしたものである。
【００１８】
本発明に係る留め具では、帯状布が少なくとも２枚重ねられ相対変位自在な紐部材に嵌め通され、各帯状布の延長方向がほぼ一致すると、重ねられた帯状布に沿って変位し、各帯状布の延長方向がずれて交差すると変位が規制されるとともに、帯状布の相対変位を規制するようにしたことにより、留め具を帯状布の所望の位置で止めて交差させると、帯状布の相対変位が規制されてロックさせることができる。
【発明の効果】
【００１９】
本発明に係るバッグは、一対のバッグ本体のうち、一方のバッグ本体の前方側と他方のバッグ本体の後方側とを第１の吊り革で結ぶとともに、他方のバッグ本体の前方側と一方のバッグ本体の後方側とを第２の吊り紐で結び、これら両吊り紐を使用者の背中側で交差させ、この交差部に吊り紐の相対変位を規制する留め具を設け、バッグ本体を使用者の左右両脇にそれぞれ配置するようにしているので、バッグ本体を体に密着させるとともに肩からずり落ちることがなく、しかも、両手を自由に使うことができる。このため、ひったくりに遭いにくく防犯性を向上させるとともに、使い勝手を向上させることができる。
【００２０】
本発明に係る吊り紐は、一対の携帯用物品のうち、一方の携帯用物品の前方側と他方の携帯用物品の後方側とを第１の吊り革で結ぶとともに、他方の携帯用物品の前方側と一方の携帯用物品の後方側とを第２の吊り紐で結び、これら両吊り紐を使用者の背中側で交差させ、この交差部に吊り紐の相対変位を規制する留め具を設け、携帯用物品を使用者の左右両脇にそれぞれ配置するようにしているので、携帯用物品を体に密着させるとともに肩からずり落ちることがなく、しかも、両手を自由に使うことができる。このため、ひったくりに遭いにくく防犯性を向上させることができる。
【００２１】
本発明に係る留め具は、帯状布が少なくとも２枚重ねられ相対変位自在な紐部材に嵌め通され、各帯状布の延長方向がほぼ一致すると、重ねられた帯状布に沿って変位し、各帯状布の延長方向がずれて交差すると変位が規制されるとともに、帯状布の相対変位を規制するようにしているので、バッグやズボンの吊り紐に用いると、身長や体の大きさに合わせて調整することができる。
【発明を実施するための最良の形態】
【００２２】
簡素な構成で防犯性能を向上させ使い勝手を向上させるという目的を、一対のバッグ本体の前後両側に係止部を設け、一方のバッグ本体の前方側係止部と他方のバッグ本体の後方側係止部とを第１の吊り紐で結ぶとともに、他方のバッグ本体の前方側係止部と一方のバッグ本体の後方側係止部とを第２の吊り紐で結び、これら両吊り紐を使用者の背中側で交差させ、この交差部に吊り紐の相対変位を規制する留め具を設け、バッグ本体を使用者の左右両脇にそれぞれ配置することにより実現した。
【実施例１】
【００２３】
以下、図面に示す実施の形態により本発明を説明する。図１は本発明の一実施例に係るバッグを示す全体図である。本実施の形態に係るバッグ１０は、一対のバッグ本体２、３とこれらバッグ本体２、３に背中側をうち違いにした襷がけ状に連結具８を介して繋いだ吊り紐６、７とを備えて構成される。バッグ本体２、３はそれぞれ吊り紐６、７により使用者の左脇と右脇とに配置されるようになっている。バッグ本体２、３は、図２の（Ａ）、（Ｂ）に示すように、折り畳み自在な矩形状の布袋からなり、この布袋の長手方向両側上部には、輪にした紐の両端を縫いつけて係止部４、５が設けられる。バッグ本体２、３の表側には、上部にファスナが取り付けられた開閉口１１が設けら、裏側には、折り畳み位置を調整して折り畳み状態に保持するホック１２が取り付けられる。このホック１２は、上端両側に取り付けられた丸形凹陥留金１２Ａに、下側両側にそれぞれ上下に取り付けられた凸型留金１２Ｂ、１２Ｃのいずれかを留めるようになっている。
【００２４】
吊り紐６、７は、図３に示すように、帯状の細長い布から構成され、長さが調整できるようになっている。吊り紐６、７は、帯状布２０の一端に凸型留金２１Ａ、２１Ｂとが延長方向に並んで取り付けられ、これら凸型留金２１Ａ、２１Ｂから離れて丸形凹陥留金２２Ａ、２２Ｂ、２２Ｃが同様に延長方向に並んで取り付けられる。帯状布２０の一端を折り返して後述する連結具８に差し通しこれら凸型留金２１Ａ、２１Ｂと丸形凹陥留金２２Ａ、２２Ｂ、２２Ｃとを選択して留めることにより吊り紐６、７の長さを調整できるようになっている。また、帯状布２０の他端は折り返され、後述する連結具８に掛け回されて調整具２３に連結されるようになっている。調整具２３は、図４の（Ｂ）に示すように、矩形枠の支持部２３Ｃの上下両側に幅方向のスリット２３Ａ、２３Ｂが形成されて構成される。調整具２３は、これらスリット２３Ａ、２３Ｂに一枚布状帯状布２０の他端部を差し入れて折り返し、折り返し端を帯状布２０と支持部２３Ｃとの間に挟持させ、吊り紐６、７を所定の長さで保持するようになっている。吊り紐６、７は、調整具２３から引き出された帯状布２０の一枚布部分２０Ｂ（凸型留金２１Ａ、２１Ｂと丸形凹陥留金２２Ａ〜２２Ｃが取り付けられた部分）の長さを変えることにより、吊り紐６、７自体の長さが調整できるようになっている。
【００２５】
吊り紐６、７の各折り返し部２０Ａには、矩形環２４が遊嵌され、折り返し部２０Ａのねじれを防ぐようになっている。吊り紐６、７には、帯状布２０の一枚布部分２０Ｂ端部を折り返して凸型留金２１Ａ、２１Ｂを丸形凹陥留金２２Ａ、２２Ｂ、２２Ｃに留める際に連結具８が係止されるようになっている。また、吊り紐６、７の他端が折り返される際に折り返し部２０Ａに連結具８が係止されるようになっている。連結具８は、図４の（Ａ）に示すように、Ｊ字状本体２５の上端に回動自在に取り付けられた支持環２６と、本体２５の上部から下方に向かって延び弧状端部２７の内側に弾発復帰可能に圧接されたばね２８とを備えている。この連結具８は、ばね２８を押圧して弧状端部２７とばね２８との間を押し開き、バッグ本体２、３の環状係止部４、５に引っかけてばね２８を復帰させると、この環状係止部４、５に係止されるようになっている。連結具８の支持環２６は、帯状布２０の一枚布部分２０Ｂの折り返し端部、または、折り返し部２０Ａが掛け回される。
【００２６】
ところで、吊り紐６、７のうち一方の吊り紐（第１の吊り紐）６は、図１に示すように、一枚布部分２０Ｂの端部が一方のバッグ本体（以下、左側バッグ本体という）２の係止部４のうち前方側の係止部４Ａと連結具８を介して接続されるとともに、折り返し部２０の端部が他方のバッグ本体（以下、右側バッグ本体という）３の係止部５のうち後方側の係止部５Ｂと連結具８を介して接続される。また、他方の吊り紐（第２の吊り紐）７は、一枚布部分２０Ｂの端部が右側バッグ本体３の前方側係止部５Ａと連結具８を介して接続されるとともに、折り返し部２０の端部が左側バッグ本体２の後方側係止部４Ｂと連結具８を介して接続される。そして、両吊り紐６、７は、使用者の背中側で交差され、この交差部に留め具９が配置されるようになっている。なお、連結具８は、上記構成の者に限られるものではなく、例えば、図４の（Ｄ）に示す第１の変形例に係る連結具１０８は、環状本体１２５の一部１２５Ａが欠けており、この欠けた部分１２５Ａにばねにより爪１２８が揺動復帰可能に圧接している。爪１２８には、押し部１２６が外側に突出して設けられ、押し部１２６の操作により爪１２８が揺動され空隙を作るようになっている。また、図４の（Ｅ）に示す第２の変形例に係る連結具２０８は、釣り鐘状の蓋部２２８がばねにより下方に付勢されてＣ型の鉤部２２７に圧接され、鉤部２２７と蓋部２２８とで環状部を形成している。蓋部２２８をばねに抗して上方に引き上げると、鉤部２２７の欠けた部分が露出するようになっている。
【００２７】
留め具９は、吊り紐６、７の両折り返し部２０Ａを重ね合わせ、重ね合わされた端部から嵌通されるようになっている。それぞれ２枚の帯状布を重ねて構成される吊り紐６、７は、図６の（Ａ）および図７の（Ａ）、（Ｂ）に示すように、留め具９内で互いに交互に重ねられるようになっている。この留め具９は、図５に示すように、両吊り紐６、７の折り返し部２０Ａが重なる厚さ寸法を有し互いに平行で長さの異なる上下２辺９Ａ、９Ｂ（９Ａ＜９Ｂ）と、これら２辺９Ａ、９Ｂの両端を接続する左右２辺９Ｃ、９Ｄとを備えた等脚台形状の環状金具から構成される。この留め具９は、図６の（Ａ）、（Ｂ）に示すように、吊り紐６、７の各折り返し部２０Ａが重ね合わせられると、すなわち吊り紐６、７のの延長方向がほぼ一致すると吊り紐６、７に沿って滑らかに変位するようになっている。また、この留め具９は、図７の（Ａ）、（Ｂ）に示すように、吊り紐６、７の各折り返し部２０Ａが留め具９の位置を中心に延長方向がずれて交差し、斜め十文字にうち違いにされると、留め具９は変位が規制され、しかも、吊り紐６、７は互い相対変位が規制されロックされるようになっている。こうして、吊り紐６、７は、図８の（Ａ）、（Ｂ）に示すように、使用者の正面側では、肩から下方に延びてバッグ本体２、３の前方側係止部４Ａ、５Ａに接続され、使用者の背中側では、肩からうち違いにした襷がけ状で、バッグ本体２、３の後方側係止部４Ｂ、５Ｂに接続されている。吊り紐６、７の交差部に配置された留め具９により、吊り紐６、７は互いに相対変位が規制されロックされているので、肩ずれが防止できるようになっている。
【００２８】
このように留め具９は、一枚布を交互に重ねた吊り紐６、７に嵌通され、各吊り紐６、７の延長方向がほぼ一致すると、重ねられた吊り紐６、７に沿って変位し、各吊り紐６、７の延長方向がずれて交差すると変位が規制されるとともに、吊り紐６、７の相対変位を規制してロックさせるようになっている。
【００２９】
次に、上記実施例に係るバッグ１０の作用について説明する。本実施例に係るバッグ１０は、吊り紐６、７の交差部を使用者の背中に配し、交差部から前方側の吊り紐６、７をそれぞれ左右の肩に載せると、交差部では留め具９の変位が規制されるとともに、吊り紐６、７は互いに相対変位が規制されロックされる。吊り紐６、７は前後端がそれぞれ、左右一方のバッグ本体２または３の前方端係止部４Ａまたは５Ａから背中の交差部で留め具９を経由して左右逆のバッグ本体３または２の後方端係止部５Ｂまたは４Ｂに接続されるので、肩に載った部位は常に内側に、すなわち、首側に保持されるので、吊り紐６、７が肩からずり落ちることがない。このため吊り紐６、７に手を添える必要がなく、両手が自由に使え、使い勝手が向上する。また、バッグ本体２、３は前後側がそれぞれ、吊り紐６、７により左右互い違いに襷がけ状に接続されているだけでなく、吊り紐６、７の交差部には、留め具９が係止されているので、体から外側に離れにくく、体に密着した状態で保持される。このため、使用者が手を添えて、バッグ本体２、３が体から離脱するのを防ぐ必要がない。従って、ひったくりのように吊り紐６、７を掴んで持ち去ろうとしても、バッグ本体２、３が体から離れにくい。さらに、バッグ本体２、３は左右の両脇に位置するので、バッグ本体２、３を体に装着した後、図８の（Ａ）に示すように、その上から上着３０を身につけることができる。上着３０を身につけると、バッグ本体２、３や吊り紐６、７が上着３０に隠れてしまい、外部からバッグ本体２、３や吊り紐６、７を見つけることができない。このため、ひったくりの犯人に狙われることがない。これらバッグ本体２、３は使用者のベルトと脇下の間に配置されることが好ましい。また、これらバッグ本体２、３は身につけた後、上着を羽織ることがあるので、薄手のものが好ましい。
【００３０】
また、上記実施例に係るバッグ１０では、吊り紐６、７の長さを調整できるようにしているので、使用者の身長や体の大きさに合わせることができる。さらに、吊り紐６、７は帯状の細長い布２０から構成されるので、体とのフィット感を向上させることができ、バッグ本体２、３を装着した上で、上着３０を身につけやすい。また、留め具９は、吊り紐６、７が重ね合わされて延長方向がほぼ一致すると、吊り紐６、７に沿って変位し、吊り紐６、７の延長方向がずれて交差すると変位が規制されるとともに、吊り紐６、７の相対変位を規制してロックさせるので、使用者の身長や体の大きさに合わせて留め具９の位置を調整することができる。このため、バッグ本体２、３がつったり傾いたりすることがない。さらに、留め具９は吊り紐６、７が交差すると、その交差位置で変位が規制され、しかも、吊り紐６、７を互いにロックするので、吊り紐６、７を確実に保持することができ、吊り紐６、７を常に肩からずり落ちないようにすることができる。また、留め具９は、吊り紐６、７が重なる厚さ寸法を有する等脚台形状環状金具により構成されているので、吊り紐６、７は交差時、環状金具９内の空間全体を占有し、しかも、両側部が左右２辺９Ｃ、９Ｄに押圧されて変形するとともに、変形により吊り紐６、７は互いの接触面が押圧されて摩擦力が増大するので吊り紐６、７は確実にロックされる。
【００３１】
図２の（Ｃ）は、バッグの変形例を示すもので、このバッグ本体１０２は、二つ折りにできるように一対の止め具１１２Ａ、１１２Ｂをそれぞれ四隅に取り付けている。これら止め具１１２Ａ、１１２Ｂは、ホック、マグネットまたはフック状とパイル状の二枚の布製テープにより構成される。手の不自由な使用者のためには、フック状とパイル状の二枚の布製テープを用いることが好ましい。このバッグ本体１０２は、吊り紐６、７を取り外して、一体のバッグとして一本の紐で単独で用いることもできる。これらバッグ本体２、３、１０２は、係止部４、５により吊り紐６、７を取り外し自在としているため、形状を変更し、縦横または上下に長い四角形状としたり、左右で大きさを変えるようにしてもよい。
【００３２】
上記実施例に係る留め具９では、重ねられた吊り紐６、７に嵌通され、各吊り紐６、７の延長方向がほぼ一致すると、重ねられた吊り紐６、７に沿って変位し、各吊り紐６、７の延長方向がずれて交差すると変位が規制されるとともに、吊り紐６、７の相対変位を規制してロックさせるようになっているので、バッグ本体２、３の吊り紐６、７に限らずズボンやエプロン、作業着のの吊り紐に用いると、身長や体の大きさに合わせて調整することができる。
【００３３】
図９は、留め具の変形例を示すもので、この変形例に係る留め具４９は、両吊り紐６、７の折り返し部２０Ａが重なる厚さ寸法を有し、互いに平行で長さの異なる上下２辺４９Ａ、４９Ｂ（４９Ａ＜４９Ｂ）と、これら２辺４９Ａ、４９Ｂの両端を接続する左右２辺４９Ｃ、４９Ｄに段部５０を形成している。段部５０の上下寸法は帯状布２０一枚に相当する厚さと同じにしている。この留め具４９の部分でも、上記実施例と同様に、それぞれ２枚の帯状布を重ねて構成される吊り紐６、７は、一枚ごとに互いに交互に重ねられるようになっている。係る構成とすることによりロックをより強固にすることができる。留め具の形状は上記実施例および変形例に限られるものはなく、帯状布が少なくとも２枚重ねられ相対変位自在な紐部材に嵌通され、各帯状布の延長方向がほぼ一致すると、重ねられた帯状布に沿って変位し、各帯状布の延長方向がずれて交差すると変位が規制されるとともに、帯状布の相対変位を規制するものであればよいことはいうまでもない。なお、留め具は金具に限らずプラスチック等の合成樹脂により形成してもよいことはいうまでもない。
【００３４】
なお、上記実施例では、バッグ本体２、３の裏側には、折り畳み状態に保持するホック１２を取り付けているが、これに限られるものではなく、フック状とパイル状の二枚の布製テープを設けてもよい。また、上記実施例では、バッグ本体について述べているが、之に限られるものではなく、携帯用ケース、財布、携帯用書類入れ等の携帯用物品についても適用可能であることはいうまでもない。さらに、上記実施例では、それぞれ２枚の帯状布を重ねて構成される吊り紐６、７を、図６の（Ａ）および図７の（Ａ）、（Ｂ）に示すように、留め具９内で互いに一枚布ごと交互に重ねられるようし、十文字状になったとき摩擦係数を高めて強固にロックするようにしているが、これに限られるものではなく、吊り紐６、７ごとに２枚重ねとし、留め具９内では、２枚重ねの吊り紐６の一方の面に、２枚重ねの吊り紐７を合わせて十文字状なったときロックするようにしてもよい。この場合、上記実施例のように一枚布ごとに交互に重ね合わせた場合に比べて緩やかにロックされる。
【図面の簡単な説明】
【００３５】
【図１】本発明の一実施例に係るバッグを示す全体説明図である。（実施例１）
【図２】（Ａ）、（Ｂ）、（Ｃ）はそれぞれ、図１のバッグのバッグ本体を示す正面図、背面図およびバッグの変形例を示す説明図である。
【図３】図１のバッグの吊り紐を示す斜視図である。
【図４】（Ａ）ないし（Ｅ）はそれぞれ、図１のバッグの連結具、調整具、矩形環、連結具の第１の変形例、連結具の第２の変形例を示す説明図である。
【図５】図１のバッグの留め具を示す平面図である。
【図６】（Ａ）、（Ｂ）はそれぞれ、吊り紐が重なった状態での留め具の動作を示す説明図である。
【図７】（Ａ）、（Ｂ）はそれぞれ、吊り紐が交差した状態での留め具の動作を示す説明図である。
【図８】（Ａ）、（Ｂ）はそれぞれ、上着を着る前にバッグを装着した状態を正面から示す説明図およびバッグを装着した状態を背面から示す説明図である。
【図９】留め具の変形例を示す平面図である。
【符号の説明】
【００３６】
２、３  バッグ本体
４、５  係止部
４Ａ、５Ａ  前方側係止部
４Ｂ、５Ｂ  後方側係止部
６、７  吊り紐
８  連結具
９  留め具
【図１】
2006288967.tif 000003
【図２】
2006288967.tif 000004
【図３】
2006288967.tif 000005
【図４】
2006288967.tif 000006
【図５】
2006288967.tif 000007
【図６】
2006288967.tif 000008
【図７】
2006288967.tif 000009
【図８】
2006288967.tif 000010
【図９】
2006288967.tif 000011